(57)【要約】      （修正有）【課題】差込フラップを容易に差し込むことができる包装体を提供する。【解決手段】包装箱と、前記包装箱に収容される、少なくとも１つの物品と、を備え、前記包装箱は、上部開口を有し、前記物品を収容可能な箱本体と、前記上部開口を開閉可能に塞ぐ上蓋部と、を備え、前記箱本体は、対前記上蓋部は、上蓋フラップ６１の先端に折り曲げ可能に連結され、第２面４４に接するように前記上部開口に差し込まれる差込フラップ６２と、第３辺及び第４辺のそれぞれに、折り曲げ可能に連結された一対の横フラップと、を備え、前記物品が前記下蓋部に設置された状態で前記包装箱に収容されたとき、前記物品の上端と前記上蓋部との間に高さ方向に第１長さのクリアランスが形成され、前記差込フラップは、少なくとも１つの凹部６５を備え、前記凹部が形成されている箇所の前記上部開口への差込長さが、前記第１の長さよりも短い。【選択図】図２
2020203698.tif 000002
【特許請求の範囲】
【請求項１】
包装箱と、
前記包装箱に収容される、少なくとも１つの物品と、
を備え、
前記包装箱は、
上部開口及び下部開口を有し、前記物品を収容可能な箱本体と、
前記上部開口を開閉可能に塞ぐ上蓋部と、
前記下部開口を塞ぐ下蓋部と、
を備え、
前記箱本体は、対向する第１面及び第２面と、対向する第３面及び第４面とで構成された角筒状に形成され、
前記箱本体の上部開口は、前記第１面、前記第２面、前記第３面、及び前記第４面の上端をそれぞれ構成する第１辺、第２辺、第３辺、及び第４辺によって矩形状に形成され、
前記上蓋部は、
前記第１辺に折り曲げ可能に連結され、前記上部開口を塞ぐ上蓋フラップと、
前記上蓋フラップの先端に折り曲げ可能に連結され、前記第２面に接するように前記上部開口に差し込まれる差込フラップと、
前記第３辺及び第４辺のそれぞれに、折り曲げ可能に連結された一対の横フラップと、
を備え、
前記物品が前記下蓋部に設置された状態で前記包装箱に収容されたとき、前記物品の上端と前記上蓋部との間に高さ方向に第１長さのクリアランスが形成され、
前記差込フラップは、少なくとも１つの凹部を備え、
前記凹部が形成されている箇所の前記上部開口への差込長さが、前記第１の長さよりも短い、包装体。
【請求項２】
前記凹部が、前記差込フラップの中央付近に１つ形成され、
前記差込フラップにおける前記凹部の両側が、突状部を形成している、請求項１に記載の包装体。
【請求項３】
前記凹部の前記第１辺の方向の長さが、前記第１辺の長さの５０％以上である、請求項２に記載の包装体。
【請求項４】
前記凹部の両端縁は、曲線により凹状に形成されている、請求項２または３に記載の包装体。
【請求項５】
前記物品が、前記第３面または前記第４面のいずれか一方の面、及び前記第２面に接する位置に配置されたとき、
前記物品において前記第２面に接触する接触位置と、前記一方の面との間に隙間が形成されるように、前記物品が形成されている、請求項２から４のいずれかに記載の包装体。
【請求項６】
前記物品の上端の平面形状が、円形状、楕円状である、請求項５に記載の包装体。
【請求項７】
前記突状部の前記第１辺に沿う長さが、前記接触位置と前記一方の面との間の長さよりも短く形成されている、請求項２から６のいずれかに記載の包装体。
【発明の詳細な説明】
【技術分野】
【０００１】
本発明は、包装体に関する。
【背景技術】
【０００２】
従来、物品を収容するために、紙やプラスチックなどのシート材で形成された包装箱が利用されている。例えば、特許文献１に記載の包装箱は、正面部、背面部、及び一対の側面部を有する角筒状の箱本体を備えており、本体部の上部開口及び下部開口は、それぞれ上蓋部及び下蓋部により塞がれている。そして、上部開口は、箱本体の背面部の上端縁に折り曲げ可能に連結される上蓋フラップと、この上蓋フラップの先端に折り曲げ可能に連結される差込フラップと、を備えている。上蓋フラップは、上部開口と同じ形状に形成され、差込フラップは、上蓋フラップが上部開口を閉じたときに、箱本体の背面部の内面側に配置される。
【先行技術文献】
【特許文献】
【０００３】
【特許文献１】特開２０１３−２０９１１４号公報
【発明の概要】
【発明が解決しようとする課題】
【０００４】
しかしながら、上記のような包装箱では、上蓋部を閉じるとき、差込フラップが商品の上端部に干渉するおそれがあり、これによって差込フラップが差し込みにくいという問題があった。特に、上蓋部を上蓋フラップ及び差込フラップを機械で折り曲げながら、閉じる場合には、機械の調整が難しいという問題があった。
【０００５】
これを解決するため、差込フラップが商品に干渉しないように包装箱の上蓋部と商品との間にクリアランスを設けることもできるが、このようにすると、包装箱の高さが高くなり、包装箱が大型化するという問題が生じる。これに対して、差込フラップを短くし、クリアランスも小さくすることも考えられるが、そのようにすると、差込フラップと箱本体との接触面積が小さくなり、上蓋部が開いてしまうおそれがある。本発明は、上記問題を解決するためになされたものであり、差込フラップを容易に差し込むことができる、包装体を提供することを目的とする。
【課題を解決するための手段】
【０００６】
本発明に係る包装体は、包装箱と、前記包装箱に収容される、少なくとも１つの物品と、を備え、前記包装箱は、上部開口及び下部開口を有し、前記物品を収容可能な箱本体と、前記上部開口を開閉可能に塞ぐ上蓋部と、前記下部開口を塞ぐ下蓋部と、を備え、前記箱本体は、対向する第１面及び第２面と、対向する第３面及び第４面とで構成された角筒状に形成され、前記箱本体の上部開口は、前記第１面、前記第２面、前記第３面、及び前記第４面の上端をそれぞれ構成する第１辺、第２辺、第３辺、及び第４辺によって矩形状に形成され、前記上蓋部は、前記第１辺に折り曲げ可能に連結され、前記上部開口を塞ぐ上蓋フラップと、前記上蓋フラップの先端に折り曲げ可能に連結され、前記第２面に接するように前記上部開口に差し込まれる差込フラップと、前記第３辺及び第４辺のそれぞれに、折り曲げ可能に連結された一対の横フラップと、を備え、前記物品が前記下蓋部に設置された状態で前記包装箱に収容されたとき、前記物品の上端と前記上蓋部との間に高さ方向に第１長さのクリアランスが形成され、前記差込フラップは、少なくとも１つの凹部を備え、前記凹部が形成されている箇所の前記上部開口への差込長さが、前記第１の長さよりも短い。
【０００７】
この構成によれば、包装箱に物品が収容されたとき、物品の上端と上蓋部との間に第１長さのクリアランスが形成され、且つ、包装箱の上部開口に差し込まれる差込フラップに凹部が形成され、凹部が形成されている箇所の上部開口への差込長さが第１長さよりも短く形成されている。そのため、差込フラップを上部開口に差し込んだとき、凹部が形成されている箇所は、物品に接触しないようになっている。したがって、差込フラップを差し込むときに、差込フラップと物品との干渉を低減することができるため、差込フラップを容易に差し込むことができる。
【０００８】
また、差込フラップと物品との干渉を防止するために、包装箱の高さを不要に高くする必要がないため、包装箱をできるだけ小さくすることができる。
【０００９】
差込フラップにおいて、凹部が形成されている以外の箇所は、上部開口への差込長さが長く、第２面との接触面積が確保されるため、差込フラップが上部開口から離脱するのを抑制することができる。
【００１０】
差込フラップが上部開口に差し込まれるとき、差込フラップの先端は第２面に接触しつつ、差し込まれるが、このとき、凹部が形成されていない場合と比べ、差込フラップの先端と第２面との接触長さを短くすることができる。すなわち、凹部が形成されている部分は第２面と接触しないため、差込フラップと第２面との摩擦を低減することができる。その結果、差込フラップを容易に差し込むことができる。
【００１１】
上記包装体においては、前記凹部が、前記差込フラップの中央付近に１つ形成され、前記差込フラップにおける前記凹部の両側が、突状部を形成するように構成することができる。
【００１２】
この構成によれば、凹部が差込フラップの中央付近に形成されているため、包装箱の第２辺の中央付近での物品と差込フラップとの干渉を低減することができる。すなわち、物品が最も配置されやすい箇所において、差込フラップと物品との干渉を抑制することができるため、差込フラップをさらに差し込みやすくすることができる。
【００１３】
上記包装体において、前記凹部の前記第１辺の方向の長さは特には限定されないが、例えば、前記第１辺の長さの５０％以上とすることができる。これにより、差込フラップと物品との干渉をさらに低減することができる。
【００１４】
上記包装体において、前記凹部の両端縁は、前記上蓋フラップ側に凸となるような曲線状に形成することができる。
【００１５】
差込フラップは、凹部が形成されている箇所では、物品と干渉しないが、その両側においては物品と干渉する可能性がある。そこで、凹部の両端縁を、上蓋フラップ側に凸となるような曲線状に形成することで、差込フラップの差込中に、凹部の両側縁を物品となめらかに接触させることができる。したがって、物品と差込フラップとが干渉しても、差込フラップを差し込みやすくすることができる。
【００１６】
上記包装体においては、前記物品が、前記第３面または前記第４面のいずれか一方の面、及び前記第２面に接する位置に配置されたとき、前記物品において前記第２面に接触する接触位置と、前記一方の面との間に隙間が形成されるように、前記物品を形成することができる。
【００１７】
この構成によれば、物品において前記第２面に接触する接触位置と、一方の面との間に隙間が形成されるように、物品が形成されているため、この隙間に突状部を差し込むことができる。これにより、物品と突状部とが干渉しないか、あるいは干渉を小さくできるため、差込フラップをさらに差し込みやすくすることができる。
【００１８】
上記包装体においては、前記物品の上端の平面形状を、円形状または楕円状にすることができる。
【００１９】
この構成によれば、物品の上端の平面形状が円形状または楕円状であるため、上述した隙間と対応する物品の縁部の形状を曲線状にすることができる。これにより、突状部が物品の縁部に接したとしても、曲線に沿って差し込むことができるため、差込フラップを容易に差し込むことができる。
【００２０】
上記包装体においては、前記突状部の前記第１辺に沿う長さを、前記接触位置と前記一方の面との間の長さよりも短く形成することができる。
【００２１】
この構成によれば、突状部を隙間に対して接触することなく差し込むことができる。したがって、差込フラップをさらに容易に差し込むことができる。
【発明の効果】
【００２２】
本発明に係る包装箱によれば、差込フラップを箱本体の上部開口に差し込みやすくすることができる。
【図面の簡単な説明】
【００２３】
【図１】本発明の一実施形態に係る包装体の斜視図である。
【図２】図１の包装箱の展開図である。
【図３】図１の包装箱の上蓋部が開いた状態を示す斜視図である。
【図４】図１の包装体の縦断面図である。
【図５】図１の包装箱の背面部の内壁面を前方から見た図である。
【図６】図１の横断面図である。
【図７】包装箱の組立を示す縦断面図である。
【図８】包装箱の組立を示す斜視図である。
【図９】商品の他の例を示す横断面図である。
【発明を実施するための形態】
【００２４】
以下、本発明に係る包装体の一実施形態について、図面を参照しつつ説明する。図１は包装体の斜視図である。図１に示すように、この包装体は、円柱状の２つの商品（物品）１，２と、これら物品を収容する包装箱３と、を備えている。以下、各部材について詳細に説明する。なお、以下では、図１に示す方向を基準に説明を行うが、本発明に係る包装体は、この方向には限定されずに構成することができる。
【００２５】
＜１．包装箱の概要＞
図２は包装箱の展開図である。図１に示すように、本実施形態に係る包装箱は、上下方向に長い縦長の直方体であり、商品１，２が収容される角筒状の箱本体４を備えている。そして、箱本体４の下部開口にはいわゆるワンタッチ底により下蓋部５が形成されており、上部開口には上蓋部６及びヘッダー部７が設けられている。まず、図２を参照しつつ、この包装箱の展開図について説明する。以下の説明では、説明の便宜上、図２の横方向を幅方向、上下方向を縦方向と称して説明を行うことがある。
【００２６】
本実施形態に係る包装箱は、図２に示すように展開することができ、プラスチック、紙などの変形可能な薄板状の材料で形成されている。この包装箱の箱本体４は、図２の右から左へ、矩形状に形成された第１側面部４１、正面部４２、第２側面部４３、及び背面部４４が、この順で連結されている。これら各部の連結部分はそれぞれ折り曲げ可能となっている。また、背面部４４の左側の辺には、のりしろ部４５が折り曲げ可能に連結されており、箱本体４が組み立てられるときには、のりしろ部４５が第１側面部４１の背面に接着される。なお、図２においては、折り曲げ線を細線で表している。
【００２７】
正面部４２は、包装箱の正面を向く面であり、例えば、商品の名称などが表示されている。一方、背面部４４は、正面部４２と同じ大きさに形成され、包装箱が組み立てられたときには、正面部４２と対向する位置に配置される。そして、背面部４４には、例えば、商品の使用方法、成分表，会社名などが表示される。第１側面部４１及び第２側面部４３は、同じ大きさに形成され、第１側面部４１が正面部４２に向かって右側に配置され、第２側面部４３は第１側面部４１と対向する位置、つまり正面部４２に向かって左側に配置される。そして、箱本体４の上部開口４０１及び下部開口４０２は、長方形状に形成されている。なお、正面部４２を包装箱３の背面、背面部４４を包装箱３の正面として用いることもでき、それに合わせた表示を適宜行うことができる。
【００２８】
次に、ヘッダー部７について説明する。図１に示すように、ヘッダー部７は、箱本体４の上端から上方に突出しており、吊り掛け孔７０が形成されている。この吊り掛け孔７０に、陳列棚の吊り掛け棒を挿通することで、包装体を吊り掛ける。ヘッダー部７は、板状に形成された第１ヘッダー板７１及び第２ヘッダー板７２とで構成されている。第１ヘッダー板７１は、背面部４４の上縁から上方に突出しており、背面部４４と同じ幅の矩形状に形成されている。また、第２ヘッダー板７２は、第１ヘッダー板７１の上縁に折り曲げ可能に連結されており、第１ヘッダー板７１と同じ幅の矩形状に形成されている。但し、第２ヘッダー板７２の上下方向の長さは、第１ヘッダー板７１よりも長くなっている。そのため、包装箱３が組み立てられるとき、第２ヘッダー板７２が、第１ヘッダー板７１と重なるように折り曲げられると、箱本体４の上部開口４０１から、その内部へと挿入されるようになっている。また、第１ヘッダー板７１及び第２ヘッダー板７２には、それぞれ貫通孔７１１，７２１が形成されており、両ヘッダー板７１，７２が重ね合わせられたときに、両貫通孔７１１，７２１が一致し、上述した吊り掛け孔７０を形成するようになっている。
【００２９】
続いて、上蓋部６について、図３も参照しつつ説明する。図３は上蓋部が開いた状態を示す斜視図である。上蓋部６は、正面部４２の上端縁（第１辺）に折り曲げ可能に連結された矩形状の上蓋フラップ６１、この上蓋フラップ６１の先端に折り曲げ可能に連結された差込フラップ６２、第１側面部４１及び第２側面部４３の上辺にそれぞれ折り曲げ可能に連結された第１上部横フラップ６３、及び第２上部横フラップ６４で構成されている。
【００３０】
上蓋フラップ６１は、箱本体４の上部開口４０１とほぼ同じ大きさの矩形状に形成されている。なお、後述するように、差込フラップ６２の抜け止めのためには、上部開口４０１よりも前後方向の長さ（正面部４２と背面部４４との間の長さ）がやや短い形状が好ましい。また、差込フラップ６２は、上蓋部６が箱本体４の上部開口４０１を閉じたとき、上部開口４０１に、上述した第２ヘッダー板７２と重なるように差し込まれる。
【００３１】
図２に示すように、差込フラップ６２は、幅方向に延びる帯状に形成されており、上端の両側が円弧状に形成されている。また、上端の中央には幅方向に延びる凹部６５が形成されている。凹部６５は、幅方向に直線状に延びる底縁部６５１と、底縁部６５１の両端から上方に向かって延びる一対の側縁部６５２とで構成されている。側縁部６５２は、底縁部６５１の両側から下側に凸の円弧状に延び（曲線による凹状に形成されている）、差込フラップ６２の先端縁に連結されている。また、側縁部６５２と差込フラップ６２の先端縁との連結部分も円弧状に形成されている。そして、このような凹部６５が形成されることで、差込フラップ６２の両端には、凹部６５の両側に突状部６５３が形成される。ここで、凹部６５の幅Ｄ１は、側縁部６５２の上端間の距離を示し、この幅Ｄ１は、差込フラップ６２の基端部（上蓋フラップとの連結部分）の幅Ｄ２の５０％〜９０％上であることが好ましく、７０％〜８０％であることがさらに好ましい。これは、幅Ｄ１が５０％以上であることで、後述するように、差込フラップ６２と商品１，２との干渉の低減効果が大きくなり、９０％以下とすることで、差込フラップ６２が上部開口４０１から簡単に離脱するのを防止することができるからである。
【００３２】
また、差込フラップ６２において、凹部６５が形成されている箇所の差込長さをＨ１と規定する。差込長さＨ１とは、差込フラップ６２の基端部と、凹部６５の底縁部６５１との距離である。また、底縁部６５１の両端６５１１，６５１２と、差込フラップの両側との距離をＫ１，Ｋ２と規定する。この距離Ｋ１，Ｋ２は、突状部６５３の幅と規定することもできる。
【００３３】
第１上部横フラップ６３は、第１側面部４１の上縁に折り曲げ可能に連結され、第２上部横フラップ６４は、第２側面部４３の上縁に折り曲げ可能に連結されている。これら両横フラップ６３，６４は、同じ大きさの矩形状に形成されている。第１上部横フラップ６３の幅は、第１側面部４１の上辺とほぼ同じであり、第１側面部４１からの突出長さは、正面部４２の幅の半分よりやや短い長さである。第２上部横フラップ６４も同様である。
【００３４】
続いて、下蓋部５について説明する。下蓋部５は、いわゆるワンタッチ底により形成されている。具体的には、図２に示すように、正面部４２の下端縁に折り曲げ可能に連結された第１大フラップ５１、背面部４４の下端縁に折り曲げ可能に連結された第２大フラップ５２、第１側面部４１の下端縁に折り曲げ可能に連結された第１小フラップ５３、及び第２側面部４３の下端縁に折り曲げ可能に連結された第２小フラップ５４、により構成されている。両大フラップ５１、５２は、矩形状のフラップ本体５１１、５２１を備えており、このフラップ本体５１１、５２１の一方の辺（以下、折り曲げ辺という）５１２，５２２には折り曲げ可能に三角形状の糊しろ５１３，５２３が連結されている。各糊しろ５１３，５２３は、隣接する小フラップ５３，５４に接着されるようになっている。また、各フラップ本体５１１，５２１の中央付近には、凹部５１４、５２４が形成されており、これら凹部５１４，５２４同士が係合することで、両フラップ本体５１１，５２１同士が固定されるようになっている。一方、両小フラップ５３，５４は、台形状に形成されている。
【００３５】
＜２．商品＞
次に、商品１，２について、図４〜図６も参照しつつ説明する。図４は商品が収容された包装箱の縦断面図、図５は前方から背面板の内壁面を見た図、図６は図１の横断面図である。本実施形態に係る商品１，２は、図１に示すように、円柱状に形成されている。ここでは説明の便宜上、左側に配置される商品を第１商品１、右側に配置される商品を第２商品２と称することとする。まず、図４に示すように、両商品１，２が包装箱３に収容されたとき、両商品１，２の底面が下蓋部に設置される。このとき、両商品１，２の上端と上蓋部６との間には、上下方向の長さがＨ２（第１長さ）の隙間が形成されている。この長さＨ２は、差込フラップ６２の凹部６５が形成されている箇所の差込長さＨ１よりも長くなっている。このように商品１，２と包装箱３の高さが規定されているため、図４及び図５に示すように、商品１，２の上端部には、凹部６５は干渉しないようになっている。また、図４に示すように、折り曲げられた第２ヘッダー板７２の下端部は、凹部６５の底縁部６５１とほぼ同じ位置まで延びており、これによって、第２ヘッダー板７２も商品１，２の上端部に干渉しないようになっている。
【００３６】
図６に示すように、２つの商品１，２の外径の合計の長さは、包装箱３の幅よりも小さく形成されている。したがって、商品１，２は包装箱３の中で、幅方向に移動可能となっている。但し、包装箱３の前後方向の長さ（正面部４２と背面部４４との距離）は、商品１，２の外径とほぼ同じになっているため、包装箱３内で、商品１，２が前後方向に移動するのは規制されている。
【００３７】
また、第１商品１は断面円形に形成されているため、背面部４４と第２側面部４３に接したときには、背面部４４との接点Ｅと第２側面部４３との間に、幅方向の長さがＳ１の平面視三角形状の隙間Ｃ１が形成される。同様に、第２商品２も断面円形に形成されているため、背面部４４と第１側面部４１に接したときには、背面部４４との接点Ｆと第１側面部４１との間に幅方向の長さがＳ２の平面視三角形状の隙間Ｃ２１が形成される。そして、これら隙間Ｃ１，Ｃ２の幅Ｓ１，Ｓ２は、上述した差込フラップの突状部の幅Ｋ１，Ｋ２よりも広くなっている。したがって、差込フラップ６２が上部開口４０１に差し込まれるとき、突状部６５３は、商品１，２の側面に干渉することなく、差し込まれる。
【００３８】
＜３．包装箱の組立＞
次に、上記のように構成された包装箱の組み立てについて、図７及び図８も参照しつつ説明する。図７は商品が収容された包装箱の断面図、図８は上蓋部を閉じる様子を示す斜視図である。なお、図８では、第１上部横フラップ６３及び第２上部横フラップ６４を省略している。まず、図２のように展開された状態から箱本体４を組み立てる。具体的には、各部４１〜４５の連結部分を折り曲げ、のりしろ部４５を第１側面部４１の内壁面に接着することで、角筒状に形成する。このとき、第２ヘッダー板７２も折り曲げられ、上部開口４０１から箱本体４の内部に挿入する。
【００３９】
次に、箱本体４の下部開口４０２を閉じる下蓋部５を組み立てる。まず、第１大フラップ５１の折り曲げ辺５１２を折り曲げつつ、糊しろ５１３を、これと隣接する第１小フラップ５３に接着する。このとき、第１大フラップ５１の折り曲げ辺５１２と、第１小フラップ３１の斜辺とを一致させる。同様に、第２大フラップ５２の折り曲げ辺５２２を折り曲げつつ、糊しろ５２３を、これと隣接する第２小フラップ５４に接着する。このとき、第２大フラップ５２の折り曲げ辺５２２と、第２小フラップ５４の斜辺とを一致させる。この状態で、すべてのフラップが同一平面に位置するように移動させると、第１大フラップ５１の凹部５１４と第２大フラップ５２の凹部５２４とが係合し、下部開口１０２を塞ぐ長方形状の下蓋部５が形成される。
【００４０】
これに続いて、箱本体４の上部開口１０１から、第１及び第２商品１，２を箱本体４の内部空間へ収容する。次に、箱本体４の上部開口４０１を閉じる上蓋部６を組み立てる。まず、両上部横フラップ６３，６４を折り曲げた後、上蓋フラップ６１及び差込フラップ６２を折り曲げる。そして、図７及び図８に示すように、差込フラップ６２の先端をヘッダー部７に沿わせながら、上蓋フラップ６１を折り曲げ、差込フラップ６２を上部開口４０１に差し込む。このとき、差込フラップ６２は、突状部６５３のみがヘッダー部７に接しつつ、差し込まれていく。こうして、上蓋フラップ６１によって上部開口４０１が閉じられ、包装箱３の組み立てが完了する。
【００４１】
＜４．特徴＞
本実施形態によれば、次の効果を得ることができる。
（１）包装箱に商品１，２が収容されたとき、商品１，２の上端と上蓋部６との間に長さがＨ２のクリアランスが形成され、且つ、包装箱３の上部開口４０１に差し込まれる差込フラップ６２に凹部６５が形成され、凹部６５が形成されている箇所の上部開口４０１への差込長さＨ１がＨ２よりも短く形成されている。そのため、差込フラップ６２を上部開口４０１に差し込んだとき、凹部６５が形成されている箇所は、商品１，２に接触しないようになっている。したがって、差込フラップ６２を差し込むときに、差込フラップ６２と商品１，２との干渉を低減することができるため、差込フラップ６２を容易に差し込むことができる。
【００４２】
（２）差込フラップ６２と商品１，２との干渉を防止するために、包装箱３の高さを不要に高くする必要がないため、包装箱３をできるだけ小さくすることができる。
【００４３】
（３）差込フラップ６２において、凹部６５が形成されている以外の箇所、つまり突状部６５３は、上部開口４０１への差込長さが長く、ヘッダー部７や背面部４４との接触面積が確保されるため、差込フラップ６２が上部開口４０１から離脱するのを抑制することができる。なお、突状部６５３の差込長さは、例えば、１５〜２０ｍｍ程度であることが好ましい。
【００４４】
（４）差込フラップ６２が上部開口４０１に差し込まれるとき、差込フラップ６２の先端はヘッダー部７に接触しつつ、差し込まれるが、このとき、凹部が形成されていない場合と比べ、差込フラップ６２の先端とヘッダー部７との接触長さを短くすることができる。すなわち、図８に示すように、差込フラップ６２において、凹部６５が形成されている部分はヘッダー部７と接触せず、突状部６５３のみがヘッダー部７と接するため、差込フラップ６２とヘッダー部７との摩擦を低減することができる。その結果、差込フラップ６２を容易に差し込むことができる。
【００４５】
（５）本実施形態では、図６に示すように、商品１，２と包装箱３との隙間Ｃ１，Ｃ２の幅Ｓ１，Ｓ２を差込フラップ６２の突状部６５３の幅Ｋ１，Ｋ２よりも大きくしているため、差込フラップ６２を差し込むときに、突状部６５３が商品１，２に接しないようになっている。したがって、差込フラップ６２を容易に差し込むことができる。なお、商品１，２の上端が円形であるため、図６に示すように、隙間Ｃ１，Ｃ２を構成する商品１，２の縁部は、円弧状に形成されている。したがって、仮に突状部６５３が商品１，２に干渉したとしても、突状部６５３が円弧状の縁部に沿って差し込まれるため、スムーズに差し込まれるようにすることができる。特に、突状部６５３の側縁、つまり凹部６５の側縁部６５２は上蓋フラップ６１側に凸の円弧状に形成されているため（曲線による凹状に形成されている）、商品１，２との干渉を和らげることができ、差込をよりスムーズに行うことができる。
【００４６】
＜５．変形例＞
以上、本発明の一実施形態について説明したが、本発明はこれに限定されるものではなく、その趣旨を逸脱しない限りにおいて種々の変更が可能である。なお、以下の変形例は適宜組み合わせることができる。
【００４７】
（１）商品１，２の形状は特には限定されず、上記実施形態のように円柱状のほか、図９に示すように、上端の平面形状が、正方形状（ａ）、多角柱状（ｂ）、菱形状（ｃ）、楕円状（ｄ）等、種々の形状にすることができる。但し、図９（ｂ）〜図８（ｄ）に示すように、側面部４１、４３と商品１、２の間に隙間が形成される形状であれば、突状部６５３が挿入されやすいため好ましく、さらには図９（ｄ）に示すように、商品１、２の外縁が曲線によって形成されていれば、突状部６５３との干渉を和らげることができるため、さらに好ましい。
【００４８】
また、包装箱３に収容される商品の数も特には限定されず、１個、または３個以上であってもよい。さらに、複数の商品の形状は同じでなくてもよい。また、図６に示すように、商品１，２は幅方向に移動可能に配置されてもよいし、包装箱３の幅方向の大きさを調整して、幅方向に移動できないようにすることもできる。このように、包装箱３の幅方向及び前後方向の大きさは、適宜調整することができる。
【００４９】
（２）差込フラップ６２の凹部６５の形状は特には限定されず、商品１、２との干渉を低減できるように、差込フラップ６２の幅方向のいずれかに形成されていればよい。但し、差込フラップ６２の幅方向の中央付近に形成されることが好ましい。また、凹部６５の数も特には限定されず、複数形成されていてもよい。
【００５０】
（３）下蓋部５の形態は特には限定されず、下部開口４０２を閉じることができればよい。したがって、例えば、上蓋部６と同様に構成することもできる。
【００５１】
（４）ヘッダー部７は必ずしも必要ではなく、必要に応じて適宜設ければよい。
【符号の説明】
【００５２】
１，２    商品（物品）
３        包装箱
４  箱本体
４０１  上部開口
４０２  下部開口
４１  第１側面部（第３面）
４２  正面部（第１面）
４３  第２側面部（第４面）
４４  背面部（第２面）
５  下蓋部
６  上蓋部
６１  上蓋フラップ
６２  差込フラップ
６５  凹部
６５３  突状部
【図１】
2020203698.tif 000003
【図２】
2020203698.tif 000004
【図３】
2020203698.tif 000005
【図４】
2020203698.tif 000006
【図５】
2020203698.tif 000007
【図６】
2020203698.tif 000008
【図７】
2020203698.tif 000009
【図８】
2020203698.tif 000010
【図９】
2020203698.tif 000011